(57)【要約】      （修正有）【課題】タンデムで直接接続され、次いでユーザ要求に基づいて使用されることができる低コストのＬＥＤチューブを提供する。【解決手段】チューブ本体が、２個のそれぞれの端子を有し、雄型接続セット１２０および雌型接続セット１３０が、それぞれチューブ本体の端子上に配置され、ならびに、ＬＥＤ回路ボードがチューブ本体上に配置されている。雄型接続セットは、第１方向雄型コネクタ１２２および第２方向雄型コネクタ１２４を含み、ならびに、雌型接続セットは第１方向雄型コネクタに対応する第１方向雌型コネクタおよび第２方向雄型コネクタに対応する第２方向雌型コネクタを含む構成とした。【選択図】図３
2015011984.tif 000002
【特許請求の範囲】
【請求項１】
ＬＥＤチューブであって：
２個のそれぞれの端子を含むチューブ本体；
前記チューブ本体の一端に配置される雄型接続セットであって、前記雄型接続セットが、第１方向雄型コネクタおよび第２方向雄型コネクタを備える雄型接続セット；
前記チューブ本体の他端に配置される雌型接続セットであって、前記雌型接続セットが、第１方向雌型コネクタおよび第２方向雌型コネクタを備え、前記第１方向雌型コネクタが前記第１方向雄型コネクタに対応し、および、前記第２方向雌型コネクタが前記第２方向雄型コネクタに対応する雌型接続セット；ならびに
前記チューブ本体上に配置されるＬＥＤ回路ボードを備えるＬＥＤチューブ。
【請求項２】
前記チューブ本体、前記雄型接続セットおよび前記雌型接続セットの材料が、高熱伝導率のプラスチックであることを特徴とする請求項１に記載のＬＥＤチューブ。
【請求項３】
前記第１方向雄型コネクタがＴタイプバックルであり、前記第１方向雌型コネクタがＴタイプバックルスロットであり、前記第２方向雄型コネクタが位置決め突起部であり、および、前記第２方向雌型コネクタが位置決め凹部であることを特徴とする請求項２に記載のＬＥＤチューブ。
【請求項４】
ＬＥＤチューブのタンデムであって：
任意のＬＥＤチューブの前記雄型接続セットが、別のＬＥＤチューブの前記雌型接続セットに接続される、請求項２に記載の複数のＬＥＤチューブを備えるタンデム。
【請求項５】
前記ＬＥＤチューブの長さが同じである；前記ＬＥＤチューブの長さが９０ｍｍである；前記ＬＥＤチューブの個数が、２、４または８個であることを特徴とする請求項４に記載のＬＥＤチューブのタンデム。
【発明の詳細な説明】
【技術分野】
【０００１】
本発明の実施態様は、全体としてＬＥＤチューブの分野に、およびより詳しくはタンデムで（縦に一列に並んで）接続されることができるＬＥＤチューブに関する。
【背景技術】
【０００２】
発光ダイオード（ＬＥＤ）は、高輝度、低消費電力および環境にやさしいという利点を有する。それらは、ここ２、３年多くの種類の照明設備内にすでに広範囲に適用されている。さらに、蛍光燈が、光源としてＬＥＤを備えたＬＥＤチューブによってますます置換され、この種のＬＥＤチューブが徐々に家庭照明の主流になってきた。
【０００３】
ＬＥＤチューブは、過電圧を通しての電子正孔対の連結によって可視光を生成する。したがって、複数のＬＥＤチューブが異なる要求に対して様々な長さでＬＥＤチューブタンデムを形成するためにタンデムで組み立てられることができる。
【０００４】
（特許文献１）が、タンデムでの接続のために余分のワイヤを用いるＬＥＤチューブに関連し、それは、むしろ用いるのが困難でコストを増大させることになる。
【先行技術文献】
【特許文献】
【０００５】
【特許文献１】台湾特許出願公開第Ｍ２６０６９８号明細書
【発明の概要】
【発明が解決しようとする課題】
【０００６】
これを考慮して、本発明の目的は、タンデムで直接接続され、次いでユーザ要求に基づいて使用されることができるＬＥＤチューブを提供することである。
【課題を解決するための手段】
【０００７】
上述のまたは他の目的を達成するために、チューブ本体、雄型接続セット、雌型接続セットおよびＬＥＤ回路ボードを備えるＬＥＤチューブが本発明において提唱される。そこにおいて、チューブ本体は２個のそれぞれの端子を有する；雄型接続セットおよび雌型接続セットは、それぞれチューブ本体の端子上に配置される；ＬＥＤ回路ボードはチューブ本体上に配置される。雄型接続セットが、第１方向雄型コネクタおよび第２方向雄型コネクタを含み、一方雌型接続セットが第１方向雌型コネクタおよび第２方向雌型コネクタを含み、第１方向雌型コネクタは、第１方向雄型コネクタに対応し、第２方向雌型コネクタは第２方向雄型コネクタに対応する。
【０００８】
一実施態様において、チューブ本体の材料、雄型接続セットおよび雌型接続セットは、高熱伝導率のプラスチックである。
【０００９】
一実施態様において、第１方向雄型コネクタは例えばＴタイプバックルである；第１方向雌型コネクタは、例えばＴタイプスロットである；第２方向雄型コネクタは、例えば位置決め突起部である；第２方向雌型コネクタは、例えば位置決め凹部である。
【００１０】
要約すれば、本発明のＬＥＤチューブでは、任意のＬＥＤチューブの雄型接続セットが他のＬＥＤチューブの雌型接続セットに接続され、一方ＬＥＤチューブタンデムがこれらの２本のＬＥＤチューブをタンデムで接続することによって形成される。ＬＥＤチューブの雄型接続セットおよび雌型接続セットを用いて、何の余分のワイヤもまたは他のアクセサリも、本発明のために必要とされず、それが、任意の必要な長さへのＬＥＤチューブタンデムのアセンブリを容易にして、コストを減少させ、かつ、同時に、より便利な組立てを実行する。
【図面の簡単な説明】
【００１１】
本発明は、以下の詳細な説明から、かつ本発明の種々の実施態様の添付の図面からより完全に理解されるが、それは、しかしながら本発明を特定の実施態様に限定するようにとられるべきでなく、説明および理解するだけのためにある。
【００１２】
【図１】本発明の一実施態様に基づくＬＥＤチューブの斜視図である；
【図２】図１のＬＥＤチューブの部分概略図である；
【図３】図１内の２本のＬＥＤチューブが接続される前の概略部分投影図である；
【図４】図３内の２本のＬＥＤチューブが接続されたあとの概略部分投影図である；
【図５】ＬＥＤチューブの側面図である；
【発明を実施するための形態】
【００１３】
図１は、本発明の実施態様に基づくＬＥＤチューブの斜視図である；図２は、図１内のＬＥＤチューブの部分概略図である；図３は、図１内の２本のＬＥＤチューブが接続される前の概略部分投影図である；図４は、図３内の２本のＬＥＤチューブが接続された後の概略部分投影図である；図５は、ＬＥＤチューブの側面図である。
【００１４】
図１〜５を同時に参照して、本発明のＬＥＤチューブ１００はチューブ本体１１０、雄型接続セット１２０、雌型接続セット１３０およびＬＥＤ回路ボード１４０を含み、チューブ本体１１０が、２個のそれぞれの端子を備え、一方、雄型接続セット１２０および雌型接続セット１３０がチューブ本体１１０の対向する端部に配置され、ならびにＬＥＤ回路ボード１４０がチューブ本体１１０上に配置される。
【００１５】
この実施態様の任意のＬＥＤチューブ１００の雄型接続セット１２０が別のＬＥＤチューブ１００の雌型接続セット１３０と接続されることは、留意するに値する。しかし、簡単な描写のために、雌型接続セット１３０と雄型接続セット１２０を接続する方法および詳細な構成要素の記述が、時々ある。接続される雄型接続セット１２０および雌型接続セット１３０が２本の異なるＬＥＤチューブ１００に属することが当業者によって認識されるべきであり、それは、この後繰り返し述べられない。
【００１６】
加えて、雄型接続セット１２０および雌型接続セット１３０の詳細な構造の明確な例証のために、ＬＥＤ回路ボード１４０は図１〜４では省略され、それは、図５内のＬＥＤ回路ボード１４０の位置に基づいて当業者によって認識されるべきである。
【００１７】
更に図１〜５を参照して、対応する雄型接続セット１２０および雌型接続セット１３０が接続される時、２本のＬＥＤチューブ１００がＬＥＤチューブタンデムを形成することができる。より良い堅固な接続のために、雄型接続セット１２０が第１方向雄型コネクタ１２２および第２方向雄型コネクタ１２４を含み、一方、雌型接続セット１３０が対応する第１方向雌型コネクタ１３２および第２方向雌型コネクタ１３４を含む。
【００１８】
ＬＥＤチューブ１００にＺ方向に印加される圧力に対して、第１方向雄型コネクタ１２２および第１方向雌型コネクタ１３２の接続の完了の際に、構造体はＬＥＤチューブ１００が伸長するのを防止するためにこの圧力に効果的に耐えることができる。ＬＥＤチューブ１００にＸ方向に印加される圧力に対して、第２方向雄型コネクタ１２４および第２方向雌型コネクタ１３４の接続の完了の際に、構造体はＬＥＤチューブ１００が収縮するのを防止するためにこの圧力に効果的に耐えることができる。
【００１９】
本実施態様において、第１方向雄型コネクタ１２２はＴタイプバックルであることができ、第１方向雌型コネクタ１３２は対応するＴタイプスロットであることができる。第２方向雄型コネクタ１２４は位置決め突起部であることができ、第２方向雌型コネクタ１３４は対応する位置決め凹部であることができる。更に詳細に、Ｔタイプバックルの数は１であり、および位置決め突起部の数は２であり、それはＸ方向にＴタイプバックルの２個の端部にそれぞれ配置される。しかしながら、本発明は第１方向雄型コネクタ１２２、第１方向雌型コネクタ１３２、第２方向雄型コネクタ１２４および第２方向雌型コネクタ１３４の任意の特定の個数に限定されない。
【００２０】
接続する方法に関しては、第１に、ＬＥＤチューブ１００が別のＬＥＤチューブ１００（それはここで例示されない）に対して１５度の角度で配置されるべきである。
そして次に、第２方向雄型コネクタ１２４（位置決め突起部）が位置決めのために第２方向雌型コネクタ１３４（位置決め凹部）に途中で挿入されることができる。次にそれに応じて別のＬＥＤチューブ１００を持ち上げることによって、第１方向雄型コネクタ１２２（Ｔタイプバックル）が第１方向雌型コネクタ１３２（Ｔタイプスロット）内に締められることができ、ＬＥＤチューブ１００の接続が完了される。
【００２１】
接続完了後、ＴタイプバックルおよびＴタイプスロットの組合せがＺ方向の圧力に起因する変形に効果的に耐えることができ、位置決め突起部および位置決め凹部の組合せがＸ方向の圧力に起因する変形に効果的に耐えることができる。タンデムで接続されるＬＥＤチューブ１００に対して、本発明は、内部電子構成部品の動作に影響を及ぼすかもしれない任意の脱離または大きな変形から長いタンデムを抑制する。
【００２２】
たとえこの実施態様がＴタイプバックルおよびＴタイプスロットならびに位置決め突起部および位置決め凹部で例示されても、本発明は第１方向雄型コネクタ１２２、第１方向雌型コネクタ１３２、第２方向雄型コネクタ１２４および第２方向雌型コネクタ１３４のいかなる特定の形にも限定されない。例えば、フック、ラッチ、クランプまたはバックルもしくはスロットの他の適用可能な形状が、本発明のための全ての適用可能なコネクタである。
【００２３】
さらに、本発明の任意のＬＥＤチューブ１００はアセンブリの単位モジュールとして見ることができ、その長さは例えば９０ｍｍである。様々な数のこれらの標準ＬＥＤチューブ１００を組み立てることによって、特定の長さのタンデムが、市場要求を満たすために形成されることができる。例えば、この実施態様内のＬＥＤチューブ１００の２個の、４個のまたは８個の部材を用いて、長さ１８０ｍｍ、３６０ｍｍおよび７２０ｍｍのＬＥＤチューブタンデムが、それぞれ形成される。しかしながら、本発明はアセンブリのためのＬＥＤチューブ１００のいかなる特定の数にも限定されず、いかなる特定の単位長にも限定されない。
【００２４】
更に図１〜５を参照して、この実施態様のチューブ本体１１０、雄型接続セット１２０および雌型接続セット１３０の材料は、高熱伝導率のプラスチックおよびＬＥＤの得られた余分な熱の外部への伝導を容易にするために、射出成形によって一体的に形成される構造体であることができる。しかしながら、本発明はいかなる特定の構造体または形成の方法にも限定されない。例えば、チューブ本体１１０、雄型接続セット１２０および雌型接続セット１３０の材料は同様に金属であることもでき、それが溶接によって組み立てられることができる。
【００２５】
加えて、チューブ本体１１０の形状は例えばチューブ状である。および、更に図５において、この実施態様のＬＥＤチューブ１００はチューブ本体１１０に対応するランプの笠１５０を含みさえすることができる。しかしながら、チューブ本体１１０およびランプの笠１５０は、様々な要求または装飾理由に対して異なる形状を有することができる。
【００２６】
要約すれば、本発明のＬＥＤチューブは少なくとも以下の利点を有する：
【００２７】
１．必要な長さのＬＥＤチューブタンデムが、何の余分のワイヤもまたは他のアクセサリも必要とせずに容易に組み立てられることができる；これはコストを低減させるだけでなく、同時に、組立てをより便利にもする。
【００２８】
２．ＴタイプバックルおよびＴタイプスロットの組合せならびに位置決め突起部および位置決め凹部の組合せが、半径方向の圧力に起因する変形に効果的に耐えることができ、これは、接続されるＬＥＤチューブを内部電子構成部品の動作に影響を及ぼす任意の大きな変形から抑制する。
【００２９】
本発明が好ましい実施態様として上に開示されたとはいえ、本発明を限定するために提供されるのではない。当業者にとって、いくつかの変形例と改作例が、本発明の趣旨および範囲から逸脱することなく実行されることができる。したがって、発明保護の範囲は請求項によって規定されるものに依存する。
【符号の説明】
【００３０】
１００  ＬＥＤチューブ
１１０  チューブ本体
１２０  雄型接続セット
１２２  第１方向雄型コネクタ
１２４  第２方向雄型コネクタ
１３０  雌型接続セット
１３２  第１方向雌型コネクタ
１３４  第２方向雌型コネクタ
１４０  ＬＥＤ回路ボード
１５０  ランプの笠
【図１】
2015011984.tif 000003
【図２】
2015011984.tif 000004
【図３】
2015011984.tif 000005
【図４】
2015011984.tif 000006
【図５】
2015011984.tif 000007